(57)【要約】【課題】  より容易な操作が可能な器具を開発する。【解決手段】  本発明は、カテーテルを取り扱うための器具であって、伸びたバルブボディを有し、レバーアームが、バネ要素を用いてプレストレスを与えられるとともにバルブボディに旋回可能に載置されていて、バネ要素のプレストレス力に抗して第１端位置から第２端位置へ旋回可能になっており、圧力ピストンが、バルブボディに受容されており、レバーアームが第２端位置の方へ移動されるとき、バルブボディのシール要素を開放する目的で、レバーアームを用いて長手方向に移動されることが可能であり、キャッチ機構が、レバーアームを少なくとも１つのキャッチ位置で保持する目的で、拘束装置及びそれと相互作用するキャッチ舌を有する装置に関する。【選択図】  図１
2007517556.tif 000002
【特許請求の範囲】
【請求項１】
カテーテルを取り扱うための器具であって、
伸びたバルブボディ（１２）を有し、
レバーアーム（２６）が、バネ要素（３０）を用いてプレストレスを与えられるとともにバルブボディ（１２）に旋回可能に載置されていて、バネ要素のプレストレス力に抗して第１端位置から第２端位置（３４）へ旋回可能になっており、
圧力ピストン（２４）が、バルブボディ（１２）に受容されており、レバーアーム（２６）が第２端位置（３４）の方へ移動されるとき、バルブボディ（１２）のシール要素を開放する目的で、レバーアーム（２６）を用いて長手方向に移動されることが可能であり、
キャッチ機構（４０）が、レバーアーム（２６）を少なくとも１つのキャッチ位置で保持する目的で、拘束装置（４２）及びそれと相互作用するキャッチ舌（５０）を有する器具において、
レバーアーム（２６）が第２端位置（３４）に到達したときに、拘束装置（４２）とキャッチ舌（５０）が係合状態から脱して、バネ要素（３０）の作用でレバーアーム（２６）が第１端位置に戻るように、キャッチ機構（４０）が構成されていることを特徴とする器具。
【請求項２】
拘束装置（４２）が、第１端位置と第２端位置の間でレバーアーム（２６）の多数のキャッチ位置を定める目的で、レバーアーム（２６）の支点の周りの同心線に沿って多数のキャッチ鼻（４８）を設けたことを特徴とする請求項１に記載の器具。
【請求項３】
レバーアーム（２６）が第２端位置（３４）に到達したときに、キャッチ鼻（４８）とは別の側面上でキャッチ舌（５０）をガイドする目的で、バルブボディ（１２）を向いたキャッチ鼻（４８）に、斜めに延在したガイド用の表面が続いており、レバーアーム（２６）が第１端位置に戻されるときに、キャッチ舌（５０）が複数のキャッチ鼻（４８）に対して係合状態になることができないようになっていることを特徴とする請求項１又は２に記載の器具。
【請求項４】
キャッチ舌（５０）と複数のキャッチ鼻（４８）が、バルブボディ（１２）の長手方向を横切る方向に延在していることを特徴とする請求項２又は３に記載の器具。
【請求項５】
レバーアーム（２６）が縦長の穴（７０）を有し、これを通ってバルブボディ（１２）から出た横方向チューブ（１４）が延在していることを特徴とする請求項１〜４のいずれか１項に記載の器具。
【請求項６】
バルブボディ（１２）及び／又はレバーアーム（２６）が、インジェクションモールド部分として構成されていることを特徴とする請求項１〜５のいずれか１項に記載の器具。
【請求項７】
バルブボディ（１２）と拘束装置（４２）が、ワンピース部品として構成されていることを特徴とする請求項６に記載の器具。
【発明の詳細な説明】
【技術分野】
【０００１】
本発明は、カテーテルを取り扱うための器具であって、伸びたバルブボディを有し、レバーアームが、バネ要素を用いてプレストレスを与えられるとともにバルブボディに旋回可能に載置されていて、バネ要素のプレストレス力に抗して第１端位置から第２端位置へ旋回可能になっており、圧力ピストンが、バルブボディに受容されており、レバーアームが第２端位置の方へ移動されるとき、バルブボディのシール要素を開放する目的で、レバーアームを用いて長手方向に移動されることが可能であり、キャッチ機構が、レバーアームを少なくとも１つのキャッチ位置で保持する目的で、拘束装置及びそれと相互作用するキャッチ舌を有する器具に関する。
【背景技術】
【０００２】
このような器具は、例えばＤＥ  １９５  ２６  ０７５  Ｃ１から公知である。この器具においては、レバーアームを用いてバルブボディに導入された圧力ピストンを作動させるため、キャッチ鼻を有する柔軟な拘束ピースがバルブボディにワンピースで形成されており、このピースを用いてレバーアームのキャッチ端がキャッチ位置に保持され得る。拘束ピースは、バルブボディに対して本質的に直角に延在している。キャッチ位置において、軸心方向への不意のずれに対してカテーテルを固定する目的で、バルブボディを通ってガイドされるカテーテルと圧力ピストンにクランピング力がかけられている。
【０００３】
更に、このような器具は、例えばＷＯ  ０１／１５７６８  Ａ１から公知である。この器具において、拘束ピースは、多数のキャッチ位置でレバーアームをロックするための多数のキャッチ鼻と、レバーアームの複数のキャッチ位置でレバーアームの延長部分で整列された作動翼を有する。
【特許文献１】ＤＥ  １９５  ２６  ０７５  Ｃ１
【特許文献２】ＷＯ  ０１／１５７６８  Ａ１
【発明の開示】
【発明が解決しようとする課題】
【０００４】
上記された器具は、非常に容易かつ人間工学的に操作されることが可能であるが、ユーザーの使用性が更に改良されるべきであるという要望がある。
【０００５】
このような背景において、本発明の目的は、より容易な操作が可能となるような形で、導入部で言及された器具を開発することである。
【課題を解決するための手段】
【０００６】
この目的は、先述の器具において、レバーアームが第２端位置に到達したときに、拘束装置とキャッチ舌が係合状態から脱して、バネ要素の作用でレバーアームが第１端位置に戻るように、キャッチ機構が構成されることにより達成される。
【発明を実施するための形態】
【０００７】
換言すれば、ユーザーは、第１端位置に再び到達させる目的でレバーアームを単に第２端位置へ押し付けさえすれば良いという形で、キャッチ機構が構成される。レバーアームが第２端位置に到達するとき、キャッチ舌は拘束装置から開放されていわばキャッチ機構を開放し、レバーアームが更に第１端位置に移動し得るようになっている。この点で、バネ要素はレバーアームが第１端位置に戻ることを確実にする。
【０００８】
ユーザーにとって操作が非常に単純である理由は、結局、レバーアームの１つの動作、すなわちレバーアームを第２端位置の方へ押し付けることを行いさえすれば良いことである。結果的に、例えば上記で参照された文献ＷＯ  ０１／１５７６８で提案されたような作動翼を押し付けることにより、レバーアームのキャッチ位置を開放する必要はもはや無い。
【０００９】
本発明の更なる発展においては、拘束装置が、第１端位置と第２端位置の間でレバーアームの多数のキャッチ位置を定める目的で、レバーアームの支点の周りで同心線に沿って多数のキャッチ鼻が設けられている。
【００１０】
これらの手段が有する利点は、カテーテルに作用するクランピング力をユーザーがより良く調節し得るため、幾つかのキャッチ位置が使用性を更に単純化していることである。
【００１１】
更なる好ましい態様において、レバーアームが第２端位置に到達したときに、キャッチ鼻から離れた方向を向いた（キャッチ鼻のある側面とは別の）拘束装置の側面上でキャッチ舌をガイドする目的で、バルブボディを向いたキャッチ鼻に、斜めに延在したガイド用の表面が続いており、そのため、レバーアームが第１端位置に戻されるときに、キャッチ舌が複数のキャッチ鼻に対して係合状態になることができないようになっている。
【００１２】
換言すれば、複数のキャッチ鼻に対して後方表面に向けて斜め上方に（バルブボディから離れて）延在する表面は、拘束装置のバルブボディを向いた端に設けられる。第２端位置に到達したときに、レバーアームのキャッチ舌は、こうして複数のキャッチ鼻の後方側面上をガイドされ、レバーアームが第１端位置へ移動する間、キャッチ舌が複数のキャッチ鼻と接触し得ないようになっている。
【００１３】
この手段は、拘束装置の非常に単純な構成という結果となり、非常に安全な操作を可能にする。
【００１４】
更なる好ましい態様において、キャッチ舌と複数のキャッチ鼻が、バルブボディの長手方向を横切る方向に延在している。
【００１５】
この手段の構成は、とくに単純である。
【００１６】
好ましい態様において、レバーアームが縦長の穴を有し、これを通ってバルブボディから出た横方向チューブが延在している。
【００１７】
この手段は、とくにレバーアームに関しても、可能な限り高い安定性を有していて非常にコンパクトな器具を形成し、これは縦長の穴と横方向チューブの相互作用により追加的に安定化され得る。
【００１８】
バルブボディ及び／又はレバーアームは、好ましくはインジェクションモールド部分として構成されていて、バルブボディと拘束装置が好ましくはワンピース部品として提供される。
【００１９】
本発明の更なる利点及び改良は、明細書及び添付の図面から明らかとなる。
【００２０】
以上で説明された構成と以下に更に説明される構成が、各場合において示された組み合わせだけでなく、他の組み合わせで又は独立して、本発明の範囲から離れることなく使用され得ることは明らかである。
【実施例】
【００２１】
図１において、本発明による装置が、側面から線図で示されていて、参照符号１０で指呼されている。装置１０は、伸びたバルブボディ１２を有し、これは軸心方向のバルブボディガイド貫通部を有する（図示されていない）。バルブボディ１２は、こうしてチューブ状要素を構成し、これはその両端で開放している。横方向チューブ１４はバルブボディ１２に長手方向の中心領域でワンピースで取り付けられていて、横方向チューブ１４はバルブボディの長手軸心に対して斜めに、例えば４５°の角度で延在している。この点で、横方向チューブ１４はバルブボディガイド貫通部内に差し込まれている。
【００２２】
装置１０が意図されるように使用されるとき、患者の体から離れた方に向いた接続端１６において、回転カフ１８が設けられていて、これを用いて、バルブボディ１２は、ガイドカテーテルが挿入されたとき、それ自体公知のやり方でシールされるように閉鎖され得る。装置１０が意図されたように使用されるとき、接続端１６と反対の、患者の体の方に向いた端部２０において、シール装置２２が設けられていて、これは、圧力ピストン２４と、バルブボディガイド貫通部に設けられていて圧力ピストン２４の内端に位置付けられたシールストッパからなる。図１から見ることができないシールストッパは、弾性部分から形成されていて、長手方向での圧力負荷のもとで閉鎖され得る長手方向の連続した開口を有する。この圧力負荷は、圧力ピストン２４を用いてシールストッパに与えられる。
【００２３】
装置１０は、更に、接続端２０のスピンドル２８の周りで旋回可能（ピボット旋回可能）に載置されたレバーアーム２６を有する。
【００２４】
レバーアーム２６は、ねじりバネ３０を用いて、図１に示された第１端位置にプレストレス（予圧や圧縮応力ともいえる）を与えられている。このため、らせん状の複数の巻きを有するねじりバネ３０は、バルブボディ１２に固定された端部分３２と、レバーアーム２６の表面に固定されていてバルブボディ１２を向いているが図では見ることができない端部分を有する。
【００２５】
レバーアーム２６は、スピンドル２８の周りで、図示された第１端位置から、矢印Ｐの方向で、第２端位置３４へ、ねじりバネ３０の力に抗して回転されることが可能である。レバーアーム２６の対応する負荷無しで、それは、再びねじりバネ３０を用いてガイドされて（ねじりバネ３０の引く作用で）第１端位置へ戻るようになっている。
【００２６】
圧力ピストン２４と相互作用する図１に描かれていない部品が、レバーアーム２６に設けられていて、レバーアーム２６が第２端位置３４に移動されるときに、圧力ピストン２４が、シールストッパへの負荷を減少させてこれによりシールストッパのガイド貫通部を開口する目的で長手方向にずらされるようになっている。換言すれば、プレストレスが与えられたレバーアーム２６が第１端位置にあるときに、圧力ピストン２４はシールストッパに対して非常に強く押し付けられるため、ガイド貫通部は十分に閉鎖されるようになっている。
【００２７】
この医療器具の目的は、一般に公知であり、それゆえより詳細には説明されない。要するに、器具１０は、シールストッパを用いてバルブボディ１２を通るカテーテルをシール状態でクランプするために役立ち、それがレバーアーム２６を作動させてカテーテルを長手方向に移動させることを可能にする目的で、クランピング力が減少され得る。
【００２８】
その他の点については、バルブボディ１２の機能及び構成に関してＷＯ  ０１／１５７６８が参照される。この文献の開示内容は、参照により、この範囲で本願に含まれる。
【００２９】
それがレバーアーム２６を複数の異なる位置で保持することを可能にする目的で、キャッチ機構４０が設けられていて、これはバルブボディ１２に割り当てられた拘束装置４２と、レバーアーム２６に割り当てられたキャッチ舌装置４４を有する。
【００３０】
拘束装置４２は、横方向チューブ１４に設けられたプレート形状部分として構成されている。多数の、この態様では例として３つのキャッチ鼻４８が、横方向チューブ１４とは別の（横方向チューブ１４から離れた）方向を向いたエッジ領域４６に設けられている。
【００３１】
その部分のために、キャッチ舌装置４４は、複数のキャッチ鼻４８と相互作用し得るキャッチ舌５０を有する。複数のキャッチ鼻４８とキャッチ舌５０は、結果的にスピンドル２８の周りの同心線Ｋ上に存在する。
【００３２】
キャッチ舌装置４４は、同様に細片形状又はプレート形状要素の形で、バルブボディの方を向いたレバーアーム２６の下側に設けられている。
【００３３】
キャッチ機構４０は、図２に拡大された線図表現で再び別に示されている。この点で、眺めは接続端２０からとなっており、拘束装置４２のプレート形状部分が参照数字５２で指呼されていて、エッジ領域の一部を隠すようになっている。これは、エッジ領域４６の点線と僅かにより薄いハッチングで描かれている。
【００３４】
キャッチ舌装置４４のキャッチ舌５０は、例えば三角形部品として構成されていて、これはキャッチ舌装置４４の基本ボディ５４に関して突出している。キャッチ舌５０はこうして、図２の図示平面に関して、基本ボディ５４の前方に存在している。キャッチ舌５０は、キャッチ表面５６とそこに斜めに延在した表面５８を有する。キャッチ表面５６は、スピンドル２８に関してほぼ放射方向の線上に延在している。
【００３５】
拘束装置４２は、前述の３つのキャッチ鼻４８を有し、これらはエッジ領域４６における三角形状の複数の凹所として構成されている。三角形状の複数の凹所は、それぞれキャッチ表面６０を有し、これらの表面はキャッチ表面５６とほぼ平行である。
【００３６】
キャッチ舌５０と複数のキャッチ鼻４８は、キャッチ表面５６が３つのキャッチ鼻４８のキャッチ表面６０といずれも可能な限り多くの領域で相互作用し得るように、寸法決めされている。キャッチ接続の開放を容易にする目的で、各キャッチ鼻４８はキャッチ表面６０に関して斜め左下に延在する表面６２を有する。この表面６２は、キャッチ舌５０の斜めに延在する表面５８と相互作用し、下方向の移動が行われたときにキャッチ舌装置４４がキャッチ鼻４８から移動されるようになっている。
【００３７】
レバーアーム２６が第１端位置から移動されるときにキャッチ舌５０が上方のキャッチ鼻４８内に通って行くことを確実にする目的で、エッジ領域は（図２に示された例に関して）斜め左に落ち込む上方のエッジ表面６４を有する。このエッジ表面６４は、レバーアーム２６が第１端位置から移動されたとき、キャッチ鼻５０がエッジ領域４６の複数のキャッチ鼻４８から離れた方向を向いた（キャッチ鼻４８とは別の）後方側面６６上を通過することを防止する。
【００３８】
図２に関して斜め左に落ち込んだエッジ表面６８が、同様にエッジ領域４６の下端に設けられている。このエッジ表面６８の目的は、最も下方のキャッチ鼻４８が通過されて作動力が開放された後、キャッチ鼻装置４４を後方側面６６上でガイドすることである。この点で、キャッチ舌５０のキャッチ表面５６はエッジ表面６８に沿ってスライドする。
【００３９】
このキャッチ機構の助けにより、結果的に、レバーアーム２６を３つの予め定められたキャッチ位置にロックし、レバーアーム２６を下方の第２端位置３４に押して更にそれを開放し、それをもとの第１端位置に戻すことが可能である。この点で、レバーアーム２６に作用するバネ力は、キャッチ舌５０が下方のエッジ表面６８に沿ってスライドするとともに拘束装置４２の後方側面６６上でガイドされることを生じさせる。そこにはキャッチ鼻は無いので、レバーアーム２６は妨げられずに第１端位置へ戻るように旋回可能である。
【００４０】
図３は、レバーアーム２６を拡大された線図で示す。これにより、レバーアーム２６は縦長の穴７０を有し、これを通って横方向チューブ１４が延在することが理解され得る。更に、レバーアーム２６は凹んだグリップ７２を有し、これは描かれたエッジ７４で終端している。
【００４１】
図３は更に、横方向チューブ１４が２つの横方向に設けられたウェブ７６を有し、これらは（横方向チューブ１４に関して）放射方向の面にあることを示す。（横方向チューブ１４に関して）放射方向の寸法は、複数のウェブ７６が縦長の穴７０のそれぞれのエッジの直ぐ前で終端するように選択される。これらのウェブ７６は、レバーアーム２６が長手軸心に対して直角に移動することが可能であることを防止するように意図されている。これはなぜなら、このような直角の（スピンドル２８と平行な）移動は、キャッチ鼻４８とキャッチ舌５０がこの方向（バルブボディの長手軸心に対して直角）に延在するため、キャッチ舌５０がキャッチ鼻４８から脱する結果となり得るからである。複数のウェブ７６は、結果的にレバーアーム２６を回転の面でガイドする役割を果たす。図１から明らかとなるように、複数のウェブ７６は、横方向チューブ１４に関して長手方向にバルブボディ１２の方に延在する。
【００４２】
キャッチ機構４０の機能が、図４Ａから４Ｉにおいてより詳細に説明される。もっとも、単純化のために、図２で使用された参照数字は再び示されない。この点で、図４Ａから４Ｉに描かれた複数の位置の順序は、レバーアーム２６が第１上方端位置から第２下方端位置３４へ、及び再び第１端位置に戻るように移動することに対応する。図４Ｂは第１キャッチ位置にあるキャッチ舌装置４４を、図４Ｄは第２キャッチ位置を、図４Ｅは第３キャッチ位置を示す。もしレバーアーム２６がバネ力３０に抗してバルブボディ１２の方へ更に押されるなら、レバーアーム２６が開放されたとき、キャッチ舌５０は、図４Ｆに描かれるように、エッジ表面６８上を通り、これに沿って拘束装置４２の後方側面６６上をスライドする。この後方側面６６上で、キャッチ舌５０は、図４Ｇから４Ｉに描かれるように、更に上向きにスライドして第１端位置に戻る。
【００４３】
レバーアーム２６とそれゆえキャッチ舌５０が、スピンドル２８の方に移動され得ず、これは複数のウェブ７６により妨げられているため、レバーアーム２６は、第２端部位置３４への移動によるだけで、複数のキャッチ位置のいずれからも第１端位置に戻されることが可能である。結果的にキャッチ位置から直接第１端位置へ戻るように移動することは可能でない。
【００４４】
従って、器具１０のユーザーは、レバーアームをキャッチ及び開放するためにレバーアーム２６の１つの移動だけを行いさえすれば良いため、操作がとくに簡単である。
【図面の簡単な説明】
【００４５】
【図１】本発明による器具の線図の側面を示す。
【図２】キャッチ機構の線図を示す。
【図３】レバーアームの線図の上面を示す。
【図４Ａ】キャッチ機構の機能を説明する目的でその異なる図を異なる位置で示す。
【図４Ｂ】キャッチ機構の機能を説明する目的でその異なる図を異なる位置で示す。
【図４Ｃ】キャッチ機構の機能を説明する目的でその異なる図を異なる位置で示す。
【図４Ｄ】キャッチ機構の機能を説明する目的でその異なる図を異なる位置で示す。
【図４Ｅ】キャッチ機構の機能を説明する目的でその異なる図を異なる位置で示す。
【図４Ｆ】キャッチ機構の機能を説明する目的でその異なる図を異なる位置で示す。
【図４Ｇ】キャッチ機構の機能を説明する目的でその異なる図を異なる位置で示す。
【図４Ｈ】キャッチ機構の機能を説明する目的でその異なる図を異なる位置で示す。
【図４Ｉ】キャッチ機構の機能を説明する目的でその異なる図を異なる位置で示す。
【図１】
2007517556.tif 000003
【図２】
2007517556.tif 000004
【図３】
2007517556.tif 000005
【図４Ａ】
2007517556.tif 000006
【図４Ｂ】
2007517556.tif 000007
【図４Ｃ】
2007517556.tif 000008
【図４Ｄ】
2007517556.tif 000009
【図４Ｅ】
2007517556.tif 000010
【図４Ｆ】
2007517556.tif 000011
【図４Ｇ】
2007517556.tif 000012
【図４Ｈ】
2007517556.tif 000013
【図４Ｉ】
2007517556.tif 000014
【国際調査報告】
2007517556.tif 000015
2007517556.tif 000016
2007517556.tif 000017
2007517556.tif 000018